(57)【要約】      （修正有）【課題】再び流液などを行なってもチューブ内の液体の流れが良く、操作性に優れるとともに、確実に挟持状態を維持することができるクランプを提供すること。【解決手段】上板２は、両端に上板係合部５を形成し、下部に上板挟持部７を前記支柱板４からみて左右両側にそれぞれ形成し、支柱板４は、略中央に孔１１を形成し、下板３は、両端に略垂直方向に立ち上がる両側板８を形成し、上部に前記上板挟持部７とともにチューブＴを押圧挟持するこのできる下板挟持部９を支柱板４からみて左右両側にそれぞれに形成し、前記両側板８は、略中腹部ないし略下部に孔１２を形成し、略中腹部ないし略上部に上板係合部５と係合する両側板係合部１０を形成した医療用クランプ１。【選択図】図４
0003121000.tif 000002
【実用新案登録請求の範囲】
【請求項１】
上板（２、３２）と、下板（３、３３）と、当該下板（３、３３）の略中央から略垂直に立ち上がり、前記上板（２、３２）と前記下板（３、３３）の略中央を連結する支柱板（４、３４）からなり、
前記上板（２、３２）は、両端に上板係合部（５、３５）を形成し、下部に上板挟持部（７、３７）を前記支柱板（４、３４）からみて左右両側にそれぞれ形成し、
前記支柱板（４、３４）は、略中央に孔（１１、４１）を形成し、
前記下板（３、３３）は、両端に略垂直方向に立ち上がる両側板（８、３８）を形成し、上部に前記上板挟持部（７、３７）とともにチューブ（Ｔ）を押圧挟持するこのできる下板挟持部（９、３９）を支柱板（４、３４）からみて左右両側にそれぞれに形成し、
前記両側板（８、３８）は、略中腹部ないし略下部に孔（１２、４２）を形成し、略中腹部ないし略上部に上板係合部（５、３５）と係合する両側板係合部（１０、４０）を形成した、ことを特徴とする医療用クランプ（１、３１）。
【請求項２】
前記上板係合部（５）と前記両側板係合部（１０）は、少なくとも略斜面（Ｓ）と略平面（Ｍ）を有する突部であり、一方の略平面（Ｍ）が一方の略斜面（Ｓ）を乗り越えて、相互の略平面（Ｍ）同士で係合する請求項１記載の医療用クランプ（１）。
【請求項３】
前記上板係合部（３５）と前記両側係合部（４０）は、複数の凸部（３５ａ）と複数の凹部（３５ｂ）を有し、複数の凸部（３５ａ）と複数の凹部（３５ｂ）で相互に係合する請求項１記載の医療用クランプ（３１）。
【請求項４】
上板（２、３２）の両端にガイド部（６）を形成した請求項１から請求項３記載のクランプ（１、３１）。
【請求項５】
上板（２、３２）の上部に窪み（１３、４３）を形成した請求項１から４記載のクランプ（１、３１）。
【請求項６】
請求項１から請求項５に記載のクランプをチューブ（Ｔ）の途中に装着した医療用具。
【考案の詳細な説明】
【技術分野】
【０００１】
本考案は、透析用血液回路や高カロリー輸液バッグ、輸液セット等に装着される医療用クランプ及び当該クランプを装着した医療用具の改良に関する。
【背景技術】
【０００２】
透析用血液回路や高カロリー輸液バッグ、輸液セット等を構成するチューブに装着するクランプを、より確実で強固に閉塞する方法として、特許文献１に記載されたような発明が開示されている。特許文献１の図７、９には、第一凸部４（本考案の上板挟持部７、３７に相当）及び第二凸部５（本考案の下板挟持部９、３９に相当）によるクランプ部位（本考案の上板挟持部７、３７と下板挟持部９、３９に相当）で液体の流れが遮断されるのに加え、挿通孔８（本考案の孔１１、４１、１２、４２に相当）下部から他端部３側に延びた切欠１０による係止部位においても液体の流れが遮断できるようにしてある。
【０００３】
しかしながら特許文献１に記載されたクランプでは、第一凸部４及び第二凸部５でクランプされ、挿通孔８に挿通された可撓性チューブａを切欠１０で係合すると、可撓性チューブａが挿通孔８から形成された切欠１０の係合部の方向へ極端に曲がるので、再び流液などを行う際、クランプから外したチューブの折れ曲がりがすぐに元に戻らず、チューブ内の液体の流れが悪くなることや、チューブが絡んで操作性に難がある。
【０００４】
そこで出願人は、特許文献２にのクランプを開示した。特許文献２のクランプは図１、４、７に例示するように、底部２、３２から後方延設部２２を延設して、当該後方延設部２２から屈曲部８ａ、８ｂ、３８ａ、３８ｂに沿って立ち上がるように、チューブ閉塞部材２０を一体成形しており、前記第１係合突部５ａ、３５ａ（本考案の上板係合突５に相当）と第１係合溝５ｂ、３５ｂ（本考案の両側板係合部１０）をワンタッチで係合することで、挟持部７、３７（本考案の上板挟持部７、３７と下板挟持部９、３９に相当）が対向することで、チューブを流れる液体を遮断でき、さらに、チューブ閉塞部材２０の切込溝２１で挟持している。
【０００５】
しかし、屈曲部８ａ、３８ａとチューブ閉塞部２０の間にスペースがあり、このスペースに他のチューブや他の部材が入り、絡み合う場合があり操作性に難がある。
【０００６】
【特許文献１】特開２００３−３３９８６２号公報（［請求項１］、図７、図９参照）
【特許文献２】実用新案登録第３１１３７６２号公報（図１、図４、図７参照）
【考案の開示】
【考案が解決しようとする課題】
【０００７】
本考案が解決しようとする問題点は、クランプ部位（本考案の上板挟持部７、３７と下板挟持部９、３９に相当）で液体の流れが遮断されるのに加え、他の係止部位においても液体の流れを遮断できるものの、チューブが挿通孔から形成された切欠の係合方向へ極端に曲がることや、チューブが他の部材と絡み、操作性に難がある点である。
【課題を解決するための手段】
【０００８】
そこで本考案者は、以上の課題を解決するために鋭意検討を重ねた結果、以下の考案に到達した。
［１］本考案は、上板（２、３２）と、下板（３、３３）と、当該下板（３、３３）の略中央から略垂直に立ち上がり、前記上板（２、３２）と前記下板（３、３３）の略中央を連結する支柱板（４、３４）からなり、
前記上板（２、３２）は、両端に上板係合部（５、３５）を形成し、下部に上板挟持部（７、３７）を前記支柱板（４、３４）からみて左右両側にそれぞれ形成し、
前記支柱板（４、３４）は、略中央に孔（１１、４１）を形成し、
前記下板（３、３３）は、両端に略垂直方向に立ち上がる両側板（８、３８）を形成し、上部に前記上板挟持部（７、３７）とともにチューブ（Ｔ）を押圧挟持するこのできる下板挟持部（９、３９）を支柱板（４、３４）からみて左右両側にそれぞれに形成し、
前記両側板（８、３８）は、略中腹部ないし略下部に孔（１２、４２）を形成し、略中腹部ないし略上部に上板係合部（５、３５）と係合する両側板係合部（１０、４０）を形成した医療用クランプ（１、３１）を提供する。
［２］本考案は、前記上板係合部（５）と前記両側板係合部（１０）は、少なくとも略斜面（Ｓ）と略平面（Ｍ）を有する突部であり、一方の略平面（Ｍ）が一方の略斜面（Ｓ）を乗り越えて、相互の略平面（Ｍ）同士で係合する［１］記載の医療用クランプ（１）を提供する。
［３］本考案は、前記上板係合部（３５）と前記両側係合部（４０）は、複数の凸部（３５ａ）と複数の凹部（３５ｂ）を有し、複数の凸部（３５ａ）と複数の凹部（３５ｂ）で相互に係合する［１］記載の医療用クランプ（３１）を提供する。
［４］本考案は、上板（２、３２）の両端にガイド部（６）を形成した［１］から［３］記載のクランプ（１、３１）を提供する。
［５］本考案は、上板（２、３２）の上部に窪み（１３、４３）を形成した［１］から［４］記載のクランプ（１、３１）を提供する。
［６］本考案は、［１］から［５］に記載のクランプをチューブ（Ｔ）の途中に装着した医療用具を提供する。
【考案の効果】
【０００９】
本考案のクランプ１、３１は、支柱板４、３４と両側板８、３８の孔１１、１２、４１、４２にチューブＴを挿通することで、特許文献１のようにチューブＴを曲げることなく、また特許文献２のようにチューブＴが他の部材と絡むことなく、チューブＴを支柱板４、３４からみて両側に設けた上板挟持部７、３７と下板挟持部９、３９の間で、水平に保持したまま挟持することができ、再び流液などを行なってもチューブＴ内の液体の流れが良く、操作性に優れる。
また、チューブＴを支柱板４、３４からみて両側に設けた上板挟持部７、３７と下板挟持部９、３９により挟持されるため、二箇所で液体の流れを遮断する。そのため、どちらか一つの挟持が緩んでも、残りの一ないし二箇所のチューブＴ挟持孔で、確実に挟持状態を維持することができる。
【考案を実施するための最良の形態】
【００１０】
図１は本考案のクランプ１の斜視図、図２は本考案のクランプ１の上面図、図３は本考案のクランプ１の正面図、図４は本考案のクランプ１の（ａ）チューブＴを挟持する前の状態の側面から見た断面図、（ｂ）チューブＴを二箇所で挟持した状態の側面から見た断面図、（ｃ）チューブＴを一箇所で挟持した状態の側面から見た断面図、（ｄ）上板係合部５と両側板係合部１０の部分拡大図、図５は、本考案のクランプ１のチューブＴを挟持した状態の斜視図、図６は、本考案のクランプ３１の斜視図、図７は、本考案のクランプ３１のチューブＴを挟持した状態の斜視図である。
［クランプ１、３１の概要］
本考案のクランプ１、３１は、上板２、３２と、下板３、３３と、当該下板３、３３の略中央から略垂直に立ち上がり、前記上板２、３２と前記下板３、３３の略中央を連結する支柱板４、３４からなる。
【００１１】
［上板２、３２］
図１から図７に例示するように、上板２、３２は、両端に上板係合部５、３５を形成し、下部に上板挟持部７、３７を前記支柱板４、３４からみて左右両側にそれぞれ形成している。
また、必要に応じて上板２、３２の両端には、両側板８、３８を両側から挟み込むんで固定できるガイド部６を形成しても良い。ガイド部６の形状は、当該目的を達成できればどのような形状でも良い。このようにガイド部６を形成することで、係合時に上板２、３２が横にずれて、上板挟持部７、３７等がチューブＴから外れることを防止することができる。
また上板係合部５、３５と前記両側板係合部１０、４０を係合させる際に、上板２、３２を指で押し易いように上板２、３２の上部に窪み１３、４３を形成しても良い。
【００１２】
［支柱板４、３４］
支柱板４、３４は、下板３、３３の略中央から略垂直に立ち上がり、前記上板２、３２と前記下板３、３３の略中央を連結している。略中央にチューブＴが挿通する孔１１、４１を形成している。支柱板４、３４の上部と上板２、３２の略中央部の接続部分が支点Ｐとなり、当該支点Ｐを中心として上板２、３２は、上下に可動することができる。
【００１３】
［下板３、３３］
下板３、３３は、両端に略垂直方向に立ち上がる両側板８、３８を形成し、上部に前記上板挟持部７、３７とともにチューブＴを押圧挟持するこのできる下板挟持部９、３９を支柱板４、３４からみて左右両側にそれぞれに形成している。
［両側板８、３８］
両側板８、３８は、略中腹部ないし略下部に孔１２、４２を形成し、略中腹部ないし略上部に上板係合部５、３５と係合する両側板係合部１０、４０を形成している。
［上板係合部５、３５と両側板係合部１０、４０］
「上板係合部５、両側板係合部１０」とは、図１から図５に例示するように、少なくとも略斜面Ｓと略平面Ｍを有する突部であり、一方の略平面Ｍが一方の略斜面Ｓを乗り越えて、相互の略平面Ｍ同士で係合する部材を意味する。
例えば図４、図５に例示するように、上板係合部５の先端の上略平面Ｍが、両側板係合部１０の略斜面Ｓを乗り越えて、上板係合部５の先端上略平面Ｍと両側板係合部１０の下略平面Ｍで係合できれば、上板係合部５と両側板係合部１０は、どのような形状でも良い。
「上板係合部３５、両側板係合部４０」とは、図６から図７に例示するように、複数の凸部３５ａと複数の凹部３５ｂを有し、複数の凸部３５ａと複数の凹部３５ｂで相互に係合する部材を意味する。
上板係合部３５の凸部３５ａが両側板係合部４０の凹部３５ｂ、上板係合部３５の凹部３５ｂが両側板係合部４０の凹部４０ａと係合できれば、上板係合部３５と両側板係合部４０はどのような形状でも良い。
【００１４】
［上板挟持部７、３７、下板挟持部９、３９］
上板２、３２の下部には、下板３、３３側に向けて上板挟持部７、３７を突設し、支柱板４、３４からみて左右両側の二箇所に形成している。下板３、３３の上部には、上板２、３２側に向けて下板挟持部９、３９を突設し、前記上板挟持部７、３７とともにチューブＴを押圧挟持することができるように、支柱板４、３４からみて左右両側の二箇所に形成している。
【００１５】
［孔１１、４１、１２、４２］
支柱板４、３４には、孔１１、４１を形成し、両側板８、３８には、孔１２、４２を形成し、これらの各孔１１、４１、１２、４２は、略同じ高さに形成されている。
支柱板４、３４と両側板８の孔１１、４１、１２、４２の三箇所にチューブＴを挿通することで、チューブＴの横ずれを防ぎ、さらにチューブＴを水平状態に保持したまま挟持することができる。
【００１６】
［クランプ１の使用例］
クランプ１は、図４（ａ）に例示するように、支柱板４と両側板８の孔１１、１２にチューブＴを挿通することにより装着される。この時、チューブＴは上板挟持部７と下板挟持部９により挟持されていないので、液体はチューブＴ内を流れることができる。上板２の両側の上部又は窪み１３を下向きに押すと、上板２は支点Ｐを中心として下方に撓み、両側の上板係合部５と両側板係合部１０が前記のように係合することができ、図４（ｂ）に例示するような状態になる。必要により両側板８を支柱板４と反対側（外側）に押しながら上板係合部５と両側板係合部１０を係合しても良い。
この時、チューブＴは両側の上板挟持部７と下板挟持部９により挟持されるため、二箇所で液体の流れを遮断する。また、図４（ｃ）に例示するように片側の上板係合部５と両側板係合部１０を係合することにより、前記片側の上板挟持部７と下板挟持部９が挟持されるため、一箇所で液体の流れを遮断することもできる。再び通液を行なう際には、両側板８を支柱板４と反対側（外側）に押すことで簡単に図４（ａ）の状態に戻る。
【００１７】
［クランプ３１の使用例］
クランプ３１は、支柱板３４と両側板３８の孔にチューブＴを挿通することにより装着される。この時、チューブＴは上板挟持部３７と下板挟持部３９により挟持されていないので、液体はチューブ内を流れることができる。上板３２の両側の上部又は窪み４３を下向きに押すと、上板３２は支点Ｐを中心として下方に撓み、両側の上板係合部３５と両側板係合部４０を噛み合わせて係合することで、図７例示するような状態になる。必要により両側板３８を支柱板３４と反対側（外側）に押しながら上板係合部３５と両側板係合部４０を係合しても良い。この時、チューブＴは上板挟持部３７と下板挟持部３９により挟持されるため、液体の流れは遮断される。
また片側の上板係合部３５と両側板係合部４０を係合することにより、前記片側の上板挟持部３７と下板挟持部３９が挟持されるため、一箇所で液体の流れを遮断することもできる。再び通液を行なう際には、両側板３８を支柱板３４と反対側（外側）に押すことで簡単に図７の状態に戻る。
【図面の簡単な説明】
【００１８】
【図１】本考案のクランプ１の斜視図
【図２】本考案のクランプ１の上面図
【図３】本考案のクランプ１の正面図
【図４】本考案のクランプ１の（ａ）チューブＴを挟持する前の状態の側面から見た断面図、（ｂ）チューブＴを二箇所で挟持した状態の側面から見た断面図、（ｃ）チューブＴを一箇所で挟持した状態の側面から見た断面図、（ｄ）上板係合部５と両側板係合部１０の部分拡大図
【図５】本考案のクランプ１のチューブＴを挟持した状態の斜視図
【図６】本考案のクランプ３１の斜視図
【図７】本考案のクランプ３１のチューブＴを挟持した状態の斜視図
【符号の説明】
【００１９】
１、３１  クランプ
２、３２  上板
３、３３  下板
４、３４  支柱板
５、３５  上板係合部
６  ガイド部
７、３７  上板挟持部
８、３８  両側板
９、３９  下板挟持部
１０、４０  両側板係合部
１１、４１  孔
１２、４２  孔
１３、４３  窪み
３５ａ  凸部
Ｍ  略平面
Ｐ  支点
Ｓ  略斜面
Ｔ  チューブ
【図１】
0003121000.tif 000003
【図２】
0003121000.tif 000004
【図３】
0003121000.tif 000005
【図４】
0003121000.tif 000006
【図５】
0003121000.tif 000007
【図６】
0003121000.tif 000008
【図７】
0003121000.tif 000009